(57)【特許請求の範囲】
【請求項１】
パルス状の放射ビームによって記録担体内の情報層を照射することにより、データを表すマークを上記情報層に記録する方法であって、
上記マークはパルスのシーケンスによってそれぞれ書込まれ、
上記放射ビームは、パルスの間の第１の出力レベルと、冷却期間の間にあるシーケンスの最後のパルスの後の第２の出力レベルと、以前に記録されたマークを消去可能な第３の出力レベルとを有し、
マークを書き込むためのそれぞれのパルスのシーケンスの後の前記冷却期間の間に、少なくとも１つの中間出力レベルが前記第２の出力レベルに続き、
上記中間出力レベルは、上記第２の出力レベルより高く、上記第３の出力レベルより低い、
ことを特徴とする方法。
【請求項２】
少なくとも２つの中間出力レベルがあり、（Ｎ＋１）番目の中間出力レベルは、直前のＮ番目の出力レベル以上である、
ことを特徴とする請求項１記載の方法。
【請求項３】
少なくとも１つの中間出力レベルは時間の関数であり、上記中間出力レベルは連続的に増加する、
ことを特徴とする請求項１又は２記載の方法。
【請求項４】
上記第２の出力レベルは上記第１の出力レベルに等しいことを特徴とする、
請求項１乃至３のうちいずれか一項記載の方法。
【請求項５】
一定値を有する１つの中間出力レベルがあり、
上記中間出力レベルの値は、上記第３の出力レベルの値の０．３乃至０．６倍の範囲内である、
ことを特徴とする請求項４記載の方法。
【請求項６】
２つの中間出力レベルがあり、
上記第１の中間出力レベルは第１の一定値を、上記第２の中間出力レベルは第２の一定値を有し、
上記第１の一定値は、上記第３の出力レベルの値の０．３乃至０．５倍の範囲内であり、
上記第２の一定値は、上記第３の出力レベルの値の０．６乃至０．９倍の範囲内である、
ことを特徴とする請求項４記載の方法。
【請求項７】
上記中間出力レベルは、一定の期間の間維持され、上記期間の長さは書込み速度に依存しないことを特徴とする、可変書込み速度で記録する、
請求項１乃至３のうち一項記載の方法。
【請求項８】
上記中間出力レベルは、一定の期間の間維持され、上記期間の長さは上記記録担体の特性に依存する、
請求項７記載の方法。
【請求項９】
上記データ信号内のＮ個のチャネルビット期間でマークを記録するための方法であって、Ｎ個のチャネルビット期間でマークを記録するために、パルスのシーケンス中のパルスの個数はＮ−２個である、
ことを特徴とする請求項１乃至８のうちいずれか一項記載の方法。
【請求項１０】
放射ビームを供給する放射源と、マークを書き込むためのパルス系列を供給する制御ユニットであって、上記放射ビームがパルスの間の第１の出力レベルと、冷却期間の間にあるシーケンスの最後のパルスの後の第２の出力レベルと、以前に記録されたマークを消去可能な第３の出力レベルとを有するように上記放射ビームの出力を制御する制御ユニットとを含み、上記放射ビームにより記録担体の情報層を照射し、上記情報層上にマークの形式でデータを記録する光学記録装置であって、
上記制御ユニットは、マークを書き込むためのそれぞれのパルスのシーケンスの後の前記冷却期間の間に、少なくとも１つの中間出力レベルが前記第２の出力レベルに続くように上記放射ビームの出力を制御し、
上記中間出力レベルは、上記第２の出力レベルより高く、上記第３の出力レベルより低い、
ことを特徴とする装置。
【請求項１１】
少なくとも２つの中間出力レベルがあり、（Ｎ＋１）番目の中間出力レベルは、直前のＮ番目の中間出力レベル以上である、
ことを特徴とする請求項１０記載の光学記録装置。
【請求項１２】
少なくとも１つの中間出力レベルは、時間の関数であり、上記中間出力レベルは連続的に増加する、
ことを特徴とする請求項１０又は１１記載の光学記録装置。
【請求項１３】
上記第２の出力レベルは上記第１の出力レベルに等しい、
ことを特徴とする請求項１０乃至１２のうちいずれか一項記載の光学記録装置。
【請求項１４】
一定値を有する１つの中間出力レベルがあり、
上記中間出力レベルの値は、上記第３の出力レベルの値の０．３乃至０．６倍の範囲内である、
ことを特徴とする請求項１３記載の光学記録装置。
【請求項１５】
２つの中間出力レベルがあり、
上記第１の中間出力レベルは第１の一定値を、上記第２の中間出力レベルは第２の一定値を有し、
上記第１の一定値は、上記第３の出力レベルの値の０．３乃至０．５倍の範囲内であり、
上記第２の一定値は、上記第３の出力レベルの値の０．６乃至０．９倍の範囲内である、
ことを特徴とする請求項１３記載の光学記録装置。
【請求項１６】
上記中間出力レベルは一定の期間の間維持され、上記期間の長さは書込み速度に依存しない、可変書込み速度で記録する、
請求項１０乃至１２のうちいれずれか一項記載の光学記録装置。
【請求項１７】
上記中間出力レベルは一定の期間の間維持され、上記期間の長さは上記記録担体の特性に依存する、
請求項１６記載の光学記録装置。
【発明の詳細な説明】
【０００１】
本発明は、パルス状の放射ビームによって記録担体の情報層を照射することにより、データを表すマークを上記情報層に記録する方法に係る。上記マークはパルスのシーケンスによりそれぞれ書込まれる。
【０００２】
本発明は更に、放射ビームを供給する放射源と放射ビームの出力を制御する制御ユニットを含み、放射ビームによって記録担体の情報層を照射することにより、記録担体の情報層にマークの形式でデータを記録する光学記録装置に係る。
【０００３】
冒頭部に記載されるような記録方法及び記録装置は、国際特許出願第９７／３０４４０号（１９９７年８月２１日公表）から公知である。マークは書込みパルスのシーケンスによって書込まれ、書込まれるマークの間の、前に書込まれたマークは、シーケンスの間に消去出力レベルを供給することによって消去される。既知のシーケンスは、パルス間で第１の出力レベル又はバイアスレベルを有し、シーケンスの最後のパルスの後で、消去出力レベルになる前に第１の出力レベルに戻る。
【０００４】
国際特許出願第９８／３６４１１号（１９９８年８月２０日公表）では、書込みパルスのシーケンスは、パルスの間における第１の出力レベル又はバイアスレベルと、シーケンスの最後のパルスの後に、消去出力レベルになる前の第２の出力レベル又は冷却レベルを有し、第２の出力レベルは第１の出力レベルと消去出力レベルの間の範囲である特徴を有する改善された方法が開示される。
【０００５】
第１の出力レベル又はバイアス出力レベルを公知の方法で変更することは、前縁ジッタと後縁ジッタの両方に影響を与える。ジッタは、デジタル化された読取り信号内のレベル遷移とそれに対応するクロック信号内の遷移の間の時間差の標準的な偏差であり、時間差は上記のクロックの１つの期間の長さによって正規化される。国際特許出願第９８／３６４１１号に記載される方法は、冷却期間、即ちシーケンスの最後のパルスに続き、消去出力レベルへの上昇に先行する期間の間で、出力レベルをバイアス出力レベルに依存しないようにし、従って後縁ジッタが、前縁ジッタと略関係なく影響されることを可能にする、更なる自由度を導入する。
【０００６】
公知の方法は、記録担体に直接上書きする、即ち記録担体の情報層に記録される情報を書込み、同時に情報層に前に書込まれた情報を消去するには好適である。この方法は例えば、相転移材料からなる情報層に直接重ね書きをする際に用いられる。
【０００７】
公知の方法は、特にマークが速い記録速度で書込まれた場合、公知の方法を用いて書込まれた読取りマークから得られる読取り信号内のジッタを十分に減少することができないことが不利点である。
【０００８】
本発明は、減少されたジッタを有する、冒頭部に記載されたような、マークを記録する方法を提供することを目的とする。
【０００９】
この目的は、冒頭部に定義された方法において、放射ビームはパルス間の第１の出力レベルと、シーケンスの最後のパルスの後の第２の出力レベルと、第２の出力レベルに続く少なくとも１つの中間出力レベルと、その次に続く第３の出力レベルを有し、中間出力レベルは第２の出力レベルより高く、第３の出力レベルより低くなることを特徴とすると達成される。
【００１０】
本発明の方法は、第２の出力レベル又は冷却出力レベルの後の、及び第３の出力レベル又は消去出力レベルの前の冷却期間の間に、少なくとも１つの付加的な出力レベルを導入する。この付加的な出力レベル又は中間出力レベルは、冷却出力レベルと消去出力レベルの間の範囲にあり、公知の方法によって記録されたマークのジッタより少ないマークのジッタがもたらされる。
【００１１】
本発明の方法の好適な実施例は、少なくとも２つの中間出力レベルがあることを特徴とし、（Ｎ＋１）番目の中間出力レベルは、その直前のＮ番目の中間出力レベル以上である。
【００１２】
この実施例では、冷却出力レベルから消去出力レベルへの漸次的な遷移が、増加する中間出力レベルのシーケンスを導入することによって得られ、公知の方法によって記録されたマークの後縁ジッタより特に小さな後縁ジッタをもたらす。
【００１３】
本発明の方法の実施例は、少なくとも１つの中間出力レベルは時間関数であり、中間出力レベルは連続的に増加することを特徴とする。
【００１４】
冷却出力レベルから消去出力レベルへのより漸次的な遷移は、時間関数として連続的に増加する中間出力レベルを供給することによって得られる。この関数は、出力レベルと時間との間に線形関係を有する関数である場合もあるが、例えば放物線関数のような他の関数も用いることが可能である。
【００１５】
本発明の方法の実施例は、第２の出力レベルが第１の出力レベルに等しいことを特徴とする。
【００１６】
第２の出力レベル又は冷却出力レベルが、第１の出力レベル又はバイアス出力レベルに等しい場合、パルスのシーケンスによって記録担体の情報層を照射した後に情報層の良好な冷却が得られる。冷却出力レベルが、バイアス出力レベルと消去出力レベルの間の範囲、即ち冷却出力レベルがバイアス出力レベルより高い場合、冷却は最適以下であり、これにより、この方法によって記録されたマークは、バイアス出力レベルに等しい冷却出力レベルで記録されたマークと比較して拡大した領域及び拡大したジッタを有する。
【００１７】
本発明の方法の実施例には、一定の値を有する１つの中間出力レベルがあり、中間出力レベルの値は、第３の出力レベルの値の０．３乃至０．６倍の範囲であることを特徴とする。
【００１８】
中間出力レベルが第３の出力レベル又は消去出力レベルの０．３乃至０．６倍の範囲内である場合、１つの中間出力レベルを供給すると前縁ジッタ及び後縁ジッタの両方が最小であることが分かっている。
【００１９】
本発明の方法の更なる実施例には、２つの中間出力レベルがあり、第１の中間出力レベルが第１の一定値を、第２の中間出力レベルが第２の一定値を有し、第１の一定値は第３の出力レベルの値の０．３乃至０．５倍の範囲内であり、第２の一定値は第３の出力レベルの値の０．６乃至０．９倍の範囲内であることを特徴とする。
【００２０】
２つの中間出力レベルを供給することにより、特に第１の中間出力レベルが、第３の出力レベル又は消去出力レベルの０．３乃至０．５倍の範囲内であり、第２の中間出力レベルが、消去出力レベルの０．６乃至０．９倍の範囲内であると、特に後縁ジッタの更なる減少が得られる。
【００２１】
本発明の方法の実施例では、中間出力レベルは一定の期間の間維持され、この期間の長さは書込み速度と関係がないことを特徴とする。
【００２２】
書込み速度と関係のない、中間出力レベルを一定の長さで維持することにより、可変書込み速度でマークを記録する場合にジッタの更なる減少が得られる。可変書込み速度は、例えば一定の角速度（ＣＡＶ）で回転するディスク型記録担体にマークを記録する場合に生じる。
【００２３】
国際特許出願第９８／３６４１１号から、冷却時間は書込み速度に依存するようにされることが好適であることが公知である。冷却時間が短すぎると、消去が早く始まり、書込まれたばかりのマークの多くを消去しすぎる。冷却時間が長すぎると、消去が遅く始まり、書込まれたばかりのマークの直後に続き、以前に書込まれたマークが消去されない。或る速度で書込む際の、冷却時間の最適な長さがある。本発明の方法の実施例では、中間出力レベルの長さは一定であり、従って、書込み速度には依存しないが、一方、冷却期間の長さは、冷却出力レベルの長さを適応させることによって書込み速度に依存するようにすることもできる。冷却期間の長さを最適にして、中間出力レベルの一定の長さを供給することにより、正確な消去が維持されながら、ジッタの減少が得られる。
【００２４】
本発明の方法の更なる実施例では、中間出力レベルは一定の期間の間維持され、この期間の長さは記録担体の特性に依存することを特徴とする。
【００２５】
書込み速度に依存しない、中間出力レベルの最適な長さは、記録担体の特性に依存する。最適な長さは、各記録担体に対して決められるべきである。
【００２６】
本発明の方法の実施例では、Ｎ個のチャネルビット期間を有するマークを記録する場合、パルスのシーケンス中のパルスの個数はＮ−２個であることを特徴とする。
【００２７】
１つのチャネルビット期間はデータ信号のデータクロックの１つの期間に対応する、Ｎ個のチャネルビット期間を有するデータ信号内のマークは、一般的に（Ｎ−１）個のパルスのシーケンスを供給することにより記録される。本発明の方法では、冷却期間の最後における付加的な中間レベルにより、回復された信号内に非対称性をもたらす。この非対称性は、（Ｎ−２）個のパルスのシーケンスを供給してＮ個のチャネルビット期間を有するデータ信号内にマークを記録することにより減少することができる。データ信号は、３チャネルビット期間乃至１１チャネルビット期間の範囲の長さを有するマークを含む、いわゆるＥＦＭ又はＥＦＭ−プラス符号化信号である。
【００２８】
本発明は更に、本発明の方法を使用できるよう適応された、冒頭部に記載されたような種類の光学記録装置を提供することを目的とする。
【００２９】
この目的は、冒頭部に定義される光学記録装置において、制御ユニットはマークを書込むためのパルスのシーケンスを供給し、放射ビームがパルス間の第1の出力レベルと、シーケンスの最後のパルスの後の第2の出力レベルと、第２の出力レベルに続く少なくとも1つの中間出力レベルと、それに続く第3の出力レベルを有し、中間出力レベルは第2の出力レベルより高く、第3の出力レベルより低くなるよう放射ビームの出力を制御するよう動作することを特徴とする場合に達成される。
【００３０】
本発明の目的、特徴、及び利点は、添付図面に示される、以下のより詳細な本発明の実施例によって明らかになるであろう。
【００３１】
図１は、本発明の方法に使用される、2つの信号、デジタルデータ信号１０と制御信号２０、２５を示す。図１ａは、記録される情報を表すデジタルデータ信号１０の値を時間の関数として示す。垂直の破線は、データ信号に属するデータクロックのクロック信号内における遷移を示す。チャネルビット期間とも称されるデータクロックの期間は、Ｔ１として示す。このデジタル信号を記録する際に、「高い」期間１１は、「高い」期間の長さと一致する長さを有するマークとして記録され、「低い」期間１２は、「低い」期間の長さと一致する長さを有するマークの間の書込まれない領域、スペースとして記録される。一般的に、マークの長さは、データ信号のチャネルビット期間の個数に書込み速度をかけたものと略等しい。従って、マークの長さはしばしば、対応するデータ信号が「高い」場合のデータクロック期間の個数で表される（例えば、１１個のデータクロック期間に対して対応するデータ信号が「高い」マークの場合は、１１Ｔとなる）。
【００３２】
データは情報層を有する光学記録担体に書込まれる。データを表すマークは、放射ビームによって情報層内のトラックに沿って書込まれる。マークは、つまり情報層における周囲の領域とは異なる光学特性を有する領域であり、マークの光学的な読取りを可能にする。
【００３３】
図１ｂは、本発明の第１の実施例のデータ信号１０に対応する制御信号２０を示し、図１ｃは、本発明の第2の実施例のデータ信号１０に対応する制御信号２５を示す。制御信号２０、２５は、それによって情報層にマークが書込まれ、制御信号のレベルに比例するとされる放射ビームの出力を変調するために用いられる。
【００３４】
図１ｂ及び図１ｃは、２つのマークを書込むための２つの書込みパルスのシーケンスをそれぞれ示す。ＮＴマークとも称される、データ信号１０内のＮ個のチャネルビットの「高い」期間は、Ｎ−２個の書込みパルスを用いて、図１に示される記録方法の実施例で記録される（例えば１１Ｔマークは９個の書込みパルスを用いて記録される）。しかし、ＮＴマークを記録するために、例えば、Ｎ−１個、Ｎ個といった書込みパルスの異なる個数を用いることも可能である。
【００３５】
書込み出力レベル１６を有するパルス間の出力は、バイアス出力レベルとも称される第１の出力レベル１８にある。シーケンスの最後のパルスの後の、及び消去出力レベル１７とも称される第3の出力レベルに上昇する前の冷却期間２２において、出力レベルはまず、冷却レベルとも称される第2の出力レベルにある。図１に示す本発明の実施例では、第2の出力レベルはバイアス出力レベル１８に等しい。しかし、第2の出力レベルは、バイアス出力レベル１８と消去出力レベル１７の間の任意に選択された出力レベルである場合もある。
【００３６】
図１ｂに示す本発明の実施例では、冷却出力レベルの直後、及び消去出力レベル１７の直前の冷却期間２２の終わりに、１つの中間出力レベル１がある。
【００３７】
図１ｃは、第1の中間出力レベル２が第2の中間出力レベル３より低い、２つの中間出力レベル２及び３を有する本発明の実施例を示す。中間出力レベルを取り入れることにより、冷却出力レベルから消去出力レベルへの漸次的な遷移がもたらされる。当業者には、より多くの中間出力レベルを取り入れることにより、より一層漸次的な遷移がもたらされることが明らかになろう。
【００３８】
図２は、前縁ジッタ３１１と後縁ジッタ３２１の測定結果を冷却出力レベルＰｃの関数として示す図であり、バイアス出力レベルが０ｍＷの値である。この図から明らかなように、冷却出力レベルＰｃがバイアス出力レベルに等しい（即ち、０ｍＷ）であるとき、前縁ジッタ３１１及び後縁ジッタ３２１は、最小値３５となる。冷却出力レベルＰｃの値がバイアス出力レベルより上に増加すると、後縁ジッタ３２１が特に顕著に増加する。
【００３９】
図３は、前縁ジッタ３１１と後縁ジッタ３２１の測定結果を、図１ｂの中間出力レベル１の関数として示す。中間出力レベル１の値は、消去出力レベル１７の値によって正規化される。正規化された中間出力レベルは、Ｐ１／Ｐｅによって表される。この測定の間は、冷却出力レベルはバイアス出力レベルに等しい。図３から明らかなように、Ｐ１／Ｐｅが０．３乃至０．６の間の範囲３６にあるとき、前縁ジッタ３１１と後縁ジッタ３２１はともに最小である。
【００４０】
記録担体にデータを書込む際に、書込み速度は変化する。可変書込み速度は、例えば一定の角速度（ＣＡＶ）で回転しているディスク型記録担体に書込む際に見られる。ここでは、書込み速度は、記録担体の内側半径における領域から、記録担体の外側半径へ移動する際に増加する。
【００４１】
図４を参照して、可変書込み速度に対処する記録方法の実施例を説明する。図４ａは、記録担体の外側半径の近くに記録される、６個のチャネルビットの期間、即ち６Ｔマークの「高い」期間を含むデータ信号７０を示し、図４ｃも、記録担体の内側半径の近くに記録される６チャネルビット期間の「高い」期間を含む同様のデータ信号７０を示す。図４ａ乃至図４ｄは同じ尺度で示される。内側半径におけるデータクロックの周波数は、外側半径より約２倍低い。従って、内側半径におけるチャネルビット期間Ｔ２は、外側半径のチャネルビット期間Ｔ３より約２倍長い。
図４ｂは、記録担体の外側半径、即ち高い書込み速度でデータ信号７０を記録するために使用される制御信号７３を示し、図４ｄは、記録担体の内側半径でデータ信号７０を記録するために使用される制御信号７２を示す。この例では、１つの中間出力レベル、及び夫々が５０％のデューティサイクルを有するパルスのシーケンスが示される。しかし、１つ以上の中間出力レベル、及び５０％以外のデューティサイクルを有するパルスを用いる場合もある。
【００４２】
内側半径における冷却期間７４は、外側半径における冷却期間７５より約２倍長い。従って、この例では、冷却期間は書込み速度に依存する。しかし、中間出力レベル７９が供給される期間７７では、外側半径におけるマークの書込みと内側半径におけるマークの書込みを比較すると同一になる。従って、中間出力レベル７９が供給される期間７７は、書込み速度に依存しない。
【００４３】
図５は、ディスク型光学記録担体５０に記録するための本発明の記録装置を示す。記録担体は或いは、テープ状である場合もある。記録される情報を含むデータ信号ＳＤは制御ユニット６０に接続される。制御ユニット６９内の電流源６１は５つの出力Ａ、Ｂ、Ｃ、Ｄ、及びＥを有する。出力Ａは、制御信号ＳＣを介して放射源５１に供給されると書込み出力レベルを有する放射ビーム５２をもたらす電流を供給する。同様に、出力Ｂ、Ｃ、Ｄ、及びＥも、第１の出力レベル即ちバイアス出力レベル、第２の出力レベル即ち冷却出力レベル、中間出力レベル、又は第３の出力レベル即ち消去出力レベルを夫々もたらす電流を供給する。各出力Ａ、Ｂ、Ｃ、Ｄ及びＥからの電流は切替えユニット６２によって選択される。切替えユニット６２は、データ信号ＳＤ及びクロック信号ＳＫによって制御されるパターン発生器６３によって動作される。パターン発生器６３は、データ信号ＳＤを、望まれるパターンに応じて、書込みパルス、冷却出力レベル、消去出力レベル、及び中間出力レベルのシーケンスに変換する。クロック信号ＳＫは、クロック発生器５８から得られる。記録装置が単一の速度で書込むよう使用されると、クロック発生器５８は、固定周波数に予め設定される。可変速度で書込まれる場合は、クロック発生器５８の周波数が実際の書込み速度とともに変化する。
【００４４】
制御ユニット６０の出力にて供給され、書込みパルスのシーケンスを有する制御信号ＳＣは放射源５１に接続される。制御信号ＳＣは、放射源５１により発生した放射ビーム５２の出力を制御する。放射ビーム５２はレンズ５３によって、記録担体５０の情報層５０１上に焦点が合わされる。ディスク型記録担体５０は、モータ５４によってその中心回りに回転する。
【００４５】
この本発明の記録装置の実施例は、図１ｂに示す１つの中間出力レベル１のみを使用する本発明の方法の実施例を行うのに適している。しかし、当業者には、電流源６１に付加的な出力を追加し、切替えユニット６２を拡張することにより、１つ以上の中間出力レベルを用いる本発明の記録装置の実施例が実現されうることが明らかになろう。
【図面の簡単な説明】
【図１】  図１ａは、時間に依存するデータ信号を示し、図１ｂ及び図１ｃは、放射ビームの出力レベルを制御する制御信号を示す図である。
【図２】  冷却出力レベルの関数として、ジッタの測定結果を示す図である。
【図３】  中間出力レベルの関数として、ジッタの測定結果を示す図である。
【図４】  図４ａ乃至図４ｄは、異なる書込み速度における、時間に依存するデータ信号と放射ビームの出力レベルを制御する制御信号を示す図である。
【図５】  本発明の記録装置を示す図である。
【図１】
0004060035.tif 000002
【図２】
0004060035.tif 000003
【図３】
0004060035.tif 000004
【図４】
0004060035.tif 000005
【図５】
0004060035.tif 000006